(57)【要約】【課題】展示兼用包装箱の店頭での陳列作業性や展示効果を改善する。【解決手段】前壁１から両側壁２を経て後壁３まで切目線１１乃至１３を入れ、後壁３の切目線１３に、両側から内方向へ延びる部分に連続して２本の下向部１４を設け、その下向部１４間に連結帯１５を形成し、展示時に切目線１１乃至１３を下向部１４まで切断すると、トレー体２２と抜蓋体２３とが連結帯１５を介して繋がれた状態となり、その状態で、連結帯１５の各端の折目線１６を軸として、抜蓋体２３を後方へ反転させ、トレー体２２を抜蓋体２３の上に載せると、トレー体２２が抜蓋体２３で後傾支持されるようにする。【選択図】  図５
2004262510.tif 000002
【特許請求の範囲】
【請求項１】
前壁１から両側壁２を経て後壁３まで切目線１１乃至１３を入れ、展示時には切目線１１乃至１３を切断して、その下方のトレー体２２と上方の抜蓋体２３とに分割し、トレー体２２に収納した商品を露出させる展示兼用包装箱において、後壁３の切目線１３に、両側から内方向へ延びる部分に連続して２本の下向部１４を設け、その下向部１４間に連結帯１５を形成し、展示時に切目線１１乃至１３を下向部１４まで切断すると、トレー体２２と抜蓋体２３とが連結帯１５を介して繋がれた状態となり、その状態で、連結帯１５の各端の折目線１６を軸として、抜蓋体２３を後方へ反転させ、トレー体２２を抜蓋体２３の上に載せると、トレー体２２が抜蓋体２３で後傾支持されるようにしたことを特徴とする展示兼用包装箱。
【発明の詳細な説明】
【０００１】
【発明の属する技術分野】
この発明は、商品の包装及び展示に兼用する紙箱に関するものである。
【０００２】
【従来の技術】
一般に、この種の展示兼用包装箱として、前壁から両側壁を経て後壁まで切目線を入れ、展示時には切目線を切断して、その下方のトレー体と上方の抜蓋体とに分割し、トレー体に収納した商品を露出させ、切り取った抜蓋体は廃棄するものが使用されている。
【０００３】
【発明が解決しようとする課題】
しかしながら、上記のような展示兼用包装箱では、店頭での陳列作業に際し、切り取った抜蓋体をごみとして処分しなければならず、煩わしさを感じることがあるほか、展示状態において、商品があまり目立たず、商品が前側から抜き取られると、残存した商品が前倒れして、展示効果が損なわれる恐れもある。
【０００４】
そこで、この発明は、展示兼用包装箱において、店頭での陳列作業性や展示効果を改善しようとするものである。
【０００５】
【課題を解決するための手段】
上記課題を解決するため、この発明に係る展示兼用包装箱では、後壁の切目線に、両側から内方向へ延びる部分に連続して２本の下向部を設け、その下向部間に連結帯を形成し、展示時に切目線を下向部まで切断すると、トレー体と抜蓋体とが連結帯を介して繋がれた状態となり、その状態で、連結帯の各端の折目線を軸として、抜蓋体を後方へ反転させ、トレー体を抜蓋体の上に載せると、トレー体が抜蓋体で後傾支持されるようにしたのである。
【０００６】
このように構成すると、展示時には、抜蓋体をトレー体を支持する脚部として使用するので、店頭での陳列作業時に抜蓋体をごみとして処分する必要がなく、展示状態において、トレー体が高い位置に保持されるので、商品を目立たせることができ、トレー体の後傾により、商品の前倒れも防止される。
【０００７】
【発明の実施の形態】
以下、この発明の実施形態を添付図面に基づいて説明する。
【０００８】
この展示兼用包装箱のブランクでは、図１に示すように、前壁１の両側に側壁２が連設され、一方の側壁２の外側に後壁３及び継代４が順次連設されている。側壁２の下縁には底片５が、後壁３及び前壁１の下縁には底板６，７がそれぞれ連設され、側壁２の上縁には蓋片８が、後壁３及び前壁１の上縁には蓋板９，１０がそれぞれ連設されている。
【０００９】
また、前壁１から両側壁２を経て後壁３までミシン目状の切目線１１，１２，１３が入れられ、側壁２の切目線１２は、前部から後部へかけて高くなるように傾斜し、継代４にも切目線１２が入れられている。後壁３の切目線１３には、両側から内方向へ延びる部分に連続して底板６との稜部に達する２本の下向部１４が設けられ、その下向部１４間に連結帯１５が形成されている。
【００１０】
連結帯１５の両端には折目線１６が、中間部の底寄りには折目線１７がそれぞれ入れられ、切目線１３の下向部１４の外側には鉤状の切込１８が入れられている。そのほか、底板７及び蓋板１０には、封緘用の糊付位置を囲む円形ミシン目１９が入られれ、その切断に伴い開封できるようになっている。
【００１１】
上記ブランクを組み立てて商品を包装するには、図２に示すように、前壁１、一対の側壁２及び後壁３を周壁をなすように折り曲げて継代４で繋ぎ、底片５及び底板６，７を順次内側へ折り曲げ、底板６，７を貼り合わせて底壁２０を形成し、商品を箱内に収納した後、蓋片８及び蓋板９，１０を順次内側へ折り曲げ、蓋板９，１０を貼り合わせて天壁２１を形成する。
【００１２】
そして、このように包装した商品を小売店へ配送した後、店頭で商品の陳列作業を行う際には、図３及び図４に示すように、切目線１１乃至１３を下向部１４まで切断して、トレー体２２と抜蓋体２３とが連結帯１５を介して繋がれた状態とし、これと同時に、各折目線１６を軸として抜蓋体２３を後方へ反転させる。
【００１３】
そして、図５及び図６に示すように、連結帯１５の旋回に伴い、トレー体２２を抜蓋体２３の上に載せると、トレー体２２は、抜蓋体２３との位置関係が連結帯１５により維持され、後方へ傾いた状態で抜蓋体２３により支持される。
【００１４】
なお、このとき、トレー体２２の後壁３が下端まで切断されていることから、両側壁２を内側へ押して傾けることができ、連結帯１５を折目線１７沿いに屈曲させつつ、トレー体２２を抜蓋体２３へ容易に挿入することができる。
【００１５】
また、切込１８を抜蓋体２３の後部に位置する前壁１の上縁に引っ掛けておくと、トレー体２２の落ち込みが確実に防止される。
【００１６】
このように、上記展示兼用包装箱では、商品Ｇの展示に際し、抜蓋体２３をトレー体２２を支持する脚部として使用するので、店頭での陳列作業時に抜蓋体２３をごみとして処分する必要がなく、煩わしさが解消される。
【００１７】
また、展示状態において、トレー体２２が高い位置に保持されるので、多品種の商品を並べるレジ横の展示においても、商品Ｇを目立たせることができ、トレー体２２の後傾により、商品Ｇの前倒れも防止されるので、商品Ｇを見栄えよく展示することができる。
【００１８】
【発明の効果】
以上のように、この発明に係る展示兼用包装箱では、商品の展示に際し、抜蓋体をトレー体を支持する脚部として使用するので、店頭での陳列作業時に抜蓋体をごみとして処分する必要がなく、陳列作業性が向上するほか、展示状態において、トレー体が高い位置に保持されるので、商品を目立たせることができ、トレー体の後傾により、商品の前倒れも防止されて、陳列効果も向上する。
【図面の簡単な説明】
【図１】この発明の実施形態に係る展示兼用包装箱のブランクを示す図
【図２】同上の包装状態を示す斜視図
【図３】同上の展示状態への変形過程を示す斜視図
【図４】同上の展示状態への変形過程を示す斜視図
【図５】同上の展示状態の斜視図
【図６】同上の展示状態の縦断側面図
【符号の説明】
１  前壁
２  側壁
３  後壁
１１乃至１３  切目線
１４  下向部
１５  連結帯
１６  折目線
２０  底壁
２１  天壁
２２  トレー体
２３  抜蓋体
【図１】
2004262510.tif 000003
【図２】
2004262510.tif 000004
【図３】
2004262510.tif 000005
【図４】
2004262510.tif 000006
【図５】
2004262510.tif 000007
【図６】
2004262510.tif 000008